(57)【要約】【課題】パネルの開口部を通るワイヤハーネスを支持するためのグロメット組立体、該グロメット組立体を成形するプロセスを提供する。【解決手段】パネルの開口部を通るワイヤハーネスを支持するためのグロメット組立体であって、この組立体は、そこを通るハーネス受け用通路を形成するように主結合面に沿って連結される２つの回転対称部品を含む。各々の回転対称部品は、第１の熱可塑性構造部分と、該第１の熱可塑性構造部分と一体化される第２の弾性シール部分とを含む。構造部分は、協働して部品を連結する複数のインターロック要素と、組立体とパネルを一緒に保持するようにパネルに係合可能な複数の保持アームとを含む。シール部分は、開口部に隣接するパネルの表面に係合可能なリップ遠位縁を有する外側シールリップを形成する。外側シールリップは、主結合面の両側に隣接するラップ継手を含む。構造部分は、各々のラップ継手の上に延び、ラップ継手の分離に抵抗するように設計された補強タブを含む。【選択図】図６
2018194168.tif 000002
【特許請求の範囲】
【請求項１】
パネルの開口部を通るワイヤハーネスを支持するためのグロメット組立体であって、
ハーネス受け用通路を形成するように主結合面に沿って連結され、各々が、第１の熱可塑性構造部分と、該第１の熱可塑性構造部分と一体化される第２の弾性シール部分とを含む、２つの回転対称部品を含み、
前記一体化される部品の前記構造部分は、協働して前記部品を連結する複数のインターロック要素と、前記グロメット組立体と前記パネルを一緒に保持するように前記パネルに係合可能な複数の保持アームとを含み、
前記一体化される部品のシール部分は、前記開口部に隣接する前記パネルの表面に係合可能なリップ遠位縁を有する外側シールリップを形成し、前記外側シールリップは、前記主結合面の両側に隣接するラップ継手を構成し、
前記一体化される部品の前記構造部分は、各ラップ継手の上に延び、前記シール部分の前記外側シールリップの前記ラップ継手の分離に抵抗するように設計された外側補強タブをさらに含むことを特徴とする、グロメット組立体。
【請求項２】
前記一体化される部品の前記構造部分の前記外側補強タブは、前記シール部分の前記外側シールリップの前記リップ遠位縁から離間配置され、かつ、前記グロメット組立体が前記パネルに取り付けられるとき、前記パネルの前記表面から離間配置される補強タブ遠位縁を含むことを特徴とする、請求項１に記載のグロメット組立体。
【請求項３】
前記一体化される部品の前記シール部分の前記外側シールリップの前記ラップ継手の各々は、前記主結合面により定められる面に対して平行でも垂直でもない傾斜面内に延びる協働する嵌合末端面を含むことを特徴とする、請求項１又は請求項２に記載のグロメット組立体。
【請求項４】
前記一体化される部品の前記構造部分の前記補強タブは、前記シール部分がその間に延びる前記面に達しない対応する凹部内に受けられる、前記主結合面により定められる面を超えて延びる延長部をさらに含み、前記シール部分並びに前記延長部及び前記凹部の少なくとも一方は、前記面に対して平行でも垂直でもない傾斜面内に延びる協働する嵌合面を含むことを特徴とする、請求項１から請求項３までのいずれか１項に記載のグロメット組立体。
【請求項５】
前記一体化される部品の前記構造部分を通るスロットが形成され、該スロットは、前記シール部分が前記スロットにわたして位置する状態で前記保持アームの両側に沿って延び、前記スロットにわたして位置する前記シール部分に凹部が形成されることを特徴とする、請求項１から請求項４までのいずれか１項に記載のグロメット組立体。
【請求項６】
前記一体化される部品の前記構造部分は、前記保持アームが前記グロメット組立体を前記開口部内の中心により良好に保持できるように、前記パネルの前記開口部の側縁に隣接して配置可能な、複数のセンタリングリブ突起部をさらに含むことを特徴とする、請求項１から請求項５までのいずれか１項に記載のグロメット組立体。
【請求項７】
前記一体化される部品の前記シール部分は、前記センタリングリブ突起部を超えて延びることを特徴とする、請求項６に記載のグロメット組立体。
【請求項８】
前記部品の各々の前記構造及び弾性部分は、その実質的に全ての接触面に沿って互いに一体化されることを特徴とする、請求項１から請求項７までのいずれか１項に記載のグロメット組立体。
【請求項９】
前記一体化される部品の前記シール部分は、そこを通って延びる前記ワイヤハーネスに係合可能な前記ハーネス受け用通路の表面を形成することを特徴とする、請求項１から請求項８までのいずれか１項に記載のグロメット組立体。
【請求項１０】
前記主結合面は、千鳥状平行面を含むことを特徴とする、請求項１から請求項９までのいずれか１項に記載のグロメット組立体。
【請求項１１】
前記一体化される部品の前記構造部分の前記インターロック要素は、受け用ポケットと係合可能な延長タブを含むことを特徴とする、請求項１から請求項１０までのいずれか１項に記載のグロメット組立体。
【請求項１２】
前記第１及び第２の回転対称部品は両方とも同じ金型セットにより形成可能であることを特徴とする、請求項１から請求項１１までのいずれか１項に記載のグロメット組立体。
【請求項１３】
請求項１のグロメット組立体を成形するプロセスであって、２ショット成形プロセスの第１のショット作業で各々の回転対称部品の前記構造部分を形成すること、及び、前記２ショット成形プロセスの第２のショット作業における前記第１のショット作業中に形成される前記構造部分と共に前記シール部分を一体成形することを含む、プロセス。
【請求項１４】
パネルの開口部を通るワイヤハーネスを支持するためのグロメット組立体であって、
そこを通るハーネス受け用通路を形成するように主結合面に沿って一緒に結合され、各々が第２の弾性シール部分と一体化される第１の熱可塑性構造部分を含む、２つの回転対称部品を含み、
前記一体化される部品の前記構造部分は、協働して前記部品を連結する複数のインターロック要素と、前記グロメット及び前記パネルを一緒に保持するように前記パネルに係合可能な複数の保持アームとを含み、
前記一体化される部品の前記シール部分は、前記開口部に隣接する前記パネルの表面に係合可能な外側リップ遠位縁と、前記パネルの前記開口部の側縁に係合可能な内側リップ遠位縁とを有する外側シールリップを形成し、前記外側シールリップは、前記主結合面の両側に隣接するラップ継手を含むことを特徴とする、グロメット組立体。
【請求項１５】
前記一体化される部品の前記シール部分の前記外側リップ遠位縁は、第１の方向に外向きに傾斜され、前記一体化される部品の前記シール部分の前記内側シールリップは、前記第１の方向とは反対の第２の方向に外向きに傾斜されることを特徴とする、請求項１４に記載のグロメット組立体。
【請求項１６】
前記一体化される部品の前記構造部分は、前記グロメット組立体を前記開口部内に保持し、前記内側シールリップを前記開口部の前記側縁に対して維持するのを助けるように、前記パネルの前記開口部の側縁に隣接して配置可能な複数のセンタリングリブ突出部を含むことを特徴とする、請求項１４又は請求項１５に記載のグロメット組立体。
【請求項１７】
前記一体化される部品の前記シール部分は、前記センタリングリブリブ突起部と前記内側シールリップとの間を前記センタリングリブリブ突起部の上に延びることを特徴とする、請求項１６に記載のグロメット組立体。
【請求項１８】
前記一体化される部品の前記構造部分は、前記一体化される部品の前記シール部分の前記外側シールリップの前記ラップ継手の分離に抵抗するように設計された、前記ラップ継手の各々の上に延びる外側補強タブをさらに含み、前記補強タブは、前記一体化される部品の前記シール部分の前記外側シールリップの前記外側リップ遠位縁から離間配置され、かつ、前記グロメット組立体が前記パネルに取り付けられるとき、前記パネルの前記表面から離間配置される補強タブ遠位縁を含むことを特徴とする、請求項１４から請求項１７までのいずれか１項に記載のグロメット組立体。
【請求項１９】
前記構造部分の前記補強タブは、前記シール部分がその間に延びる前記面に達しない対応する凹部内に受けられる、前記主結合面により定められる面を超えて延びる延長部をさらに含み、前記シール部分並びに前記延長部及び前記凹部の少なくとも一方は、前記面に対して平行でも垂直でもない傾斜面内に延びる協働する嵌合面を含むことを特徴とする、請求項１８に記載のグロメット組立体。
【請求項２０】
前記一体化される部品の前記構造部分を通るスロットは、前記スロットにわたる前記シール部分と共に前記保持アームの両側に沿って延び、前記スロットにわたる前記シール部分内に凹部が形成されることを特徴とする、請求項１４から請求項１９までのいずれか１項に記載のグロメット組立体。
【発明の詳細な説明】
【技術分野】
【０００１】
本開示は、パネルの開口部を通るワイヤハーネスを支持するためのグロメット組立体に関する。
【背景技術】
【０００２】
本項は、本開示に関する背景情報を提供するが、これは必ずしも従来技術ではない。
【０００３】
グロメットは、パネル又は他の部材の開口部を通るワイヤハーネス及び束の通過を支持するために用いられる。例えば、グロメットは、自動車業界において、車体パネルの貫通孔への取り付けを含む種々の重要な用途を有する。従来、グロメットは一体部品を含み、この一体部品は、ワイヤハーネス又は束の一方の端部から取り付け又は送り込み、指定された開口部に向けて移動させなければならず、潤滑剤を必要とする。このプロセスは、特にワイヤが長い場合、労力が増大し、時間がかかるため、費用が増加する。
【０００４】
別の選択肢は、グロメットの半体をワイヤの周りの適当な個所に組み付けることである。しかしながら、多くの場合、グロメットをパネルに対してシールし、そこを通る水、ダスト、汚れ、又は汚染物を軽減させることが重要である。残念なことに、このように組み付けられたグロメット半体を用いることによって、適切なグロメット半体間シール及びグロメット・ワイヤ間シールに加えて、適切なグロメット・パネル間シールを得ることが困難になる。１つ又はそれ以上の別個の独立したシール部材をグロメット半体と共に組み付けて、必要なシールをもたらすことはできるが、これもまた労力を要し、時間がかかり、かつ間違いが発生しやすく、それにより組立体又はシールを損なう恐れがある。
【発明の概要】
【発明が解決しようとする課題】
【０００５】
本発明は、従来技術における上述の問題を解消し、取り付けに必要な労力の増大がなく、パネルに対するシールの確保も容易なグロメット組立体を提供することを解決すべき課題とする。
【課題を解決するための手段】
【０００６】
本項は、本開示の全体的な概要を提供するものであり、その全範囲又はその特徴の全てを包括的に開示するものではない。
本開示の種々の態様において、グロメット組立体は、パネルの開口部を通るワイヤハーネスを支持する。グロメット組立体は、そこを通るハーネス受け用通路を形成するように主結合面に沿って連結される２つの回転対称部品を含む。各々の回転対称部品は、第１の熱可塑性構造部分と該第１の熱可塑性構造部分と一体化することができる第２の弾性シール部分とを含む。一体化される部品の構造部分は、複数のインターロック要素と複数の保持要素とを含む。インターロック要素は、協働して回転対称部品を連結する。保持アームは、グロメット組立体とパネルを一緒に保持するようにパネルに係合可能である。一体化される部品のシール部分は、開口部に隣接するパネルの表面に係合可能なリップ遠位縁を有する外側シールリップを含む。外側シールリップは、主結合面の両側に隣接するラップ継手をさらに含む。一体化される部品の構造部分は、各々のラップ継手の上に延びる外側補強タブを含む。外側補強タブは、シール部分の外側シールリップのラップ継手の分離に抵抗するように設計される。
【０００７】
本開示の他の態様において、グロメット組立体は、パネルの開口部を通るワイヤハーネスを支持する。グロメット組立体は、そこを通るハーネス受け用通路を形成するように、主結合面に沿って連結される２つの回転対称部品を含む。各々の回転対称部品は、第２の弾性シール部分と一体化される第１の熱可塑性構造部分を含む。一体化される部品の構造部分は、複数のインターロック要素と複数の保持要素とを含む。インターロック要素は、協働して回転対称部品を連結する。保持アームは、グロメット組立体とパネルを一緒に保持するようにパネルに係合可能である。一体化される部品のシール部分は、外側シールリップと内側シールリップとを含む。外側シールリップは、開口部に隣接するパネルの表面に係合可能な外側リップ遠位縁を有し、内側シールリップは、パネルの開口部の側縁に係合可能な内側リップ遠位縁を含む。外側シールリップは、主結合面の両側に隣接するラップ継手をさらに含む。
【０００８】
さらなる適用可能な分野は、本明細書において与えられる説明から明らかになるであろう。本概要における説明及び特定の例は、例示目的であることのみを意図し、本開示の範囲を限定することを意図するものではない。
【０００９】
本明細書において記載される図面は、全ての可能な実施例を示すものではなく、選択された実施形態の例証目的のためのものにすぎず、本開示の範囲を限定することを意図するものでもない。
【図面の簡単な説明】
【００１０】
【図１Ａ】各々が第１の熱可塑性構造部分及び第２の弾性シール部分を有する２つの結合した回転対称部品を含む、本開示による１つの例示的なグロメット組立体の斜視図である。
【図１Ｂ】各々が第１の熱可塑性構造部分及び第２の弾性シール部分を有する２つの結合した回転対称部品を含む、本開示による１つの例示的なグロメット組立体の斜視図である。
【図２Ａ】図１Ａ及び図１Ｂの回転対称部品の構造部分の分解斜視図である。
【図２Ｂ】図１Ａ及び図１Ｂの回転対称部品のシール部分の分解斜視図である。
【図３Ａ】図１Ａ及び図１Ｂの回転対称部品の一方の構造部分の斜視図である。
【図３Ｂ】図１Ａ及び図１Ｂの回転対称部品の一方のシール部分の斜視図である。
【図４】部分断面図におけるパネルの開口部内に中心がある図１Ａ及び図１Ｂの回転対称部品の一方の正面図である。
【図５】そこを通るワイヤハーネスを支持する図１Ａ及び図１Ｂの回転対称部品の一方の平面図である。
【図６】図１Ａ及び図１Ｂの回転対称部品の分解斜視図である。
【図７Ａ】図１Ａ及び図１Ｂの回転対称部品の一方の構造部分の斜視図である。
【図７Ｂ】図７Ａに類似しているが、想像線が付加されたシール部分を有する、構造部分の斜視図である。
【図８Ａ】図１Ａ及び図１Ｂの回転対称部品の一方の斜視図である。
【図８Ｂ】図１Ａ及び図１Ｂの回転対称部品の一方の斜視図である。
【図９】図１Ａ〜図８Ｂのものに類似しているが、付加的な延長したワイヤ通路を含み、対応する例示的なグロメット組立体の両側上に延びて支持する、グロメット組立体の別の例示的な回転対称部品の側面図である。
【発明を実施するための形態】
【００１１】
図面の幾つかの図を通して、対応する参照符号は対応する部品を示す。
ここで、添付図面を参照して、例示的な実施形態をさらに十分に説明する。
【００１２】
図１Ａ〜図８Ｂは、本開示による、２部品又は分割グロメット組立体２０の１つの例示的な実施形態の種々の態様を示す。グロメット組立体２０は、パネル１８の開口部９４を通るワイヤの束又は群を含むワイヤハーネス９６を支持することができる（図４及び図５参照）。グロメット組立体２０は、２つの回転対称部品２２Ａ、２２Ｂを含み、これらは、示される実施形態において、それぞれインターロックタブ又は延長タブ４４及び受け用ポケット又はキャビティ４６により与えられるもののような、インターロック面又はデテント４８及び５０を含むことができる複数のインターロック要素又は部材９８（図６参照）により、主結合面又はシール継手５２（図３Ｂ及び図４参照）に沿って連結することができる。
【００１３】
グロメット組立体２０は、そこを通るハーネス受け用通路又は中心キャビティ２６を含む。組立体２０は、ハーネス受け用通路２６の遠位部分又は端部分を形成し、そこを通るワイヤハーネス又は束９６に対する付加的な支持を提供できる環状カラー延長部４２を含むことができる。カラー延長部４２は、付加的な安定性及び支持のための重ね継手７４を含むことができる。幾つかの実施形態においては、図９に示されるように、カラー延長部４２をグロメット組立体２０の両方の側に設けることができ、カラー延長部４２の１つにより、ハーネス受け用通路２６の両方の遠位端が形成される。
【００１４】
回転対称部品２２Ａ及び２２Ｂの各々は、第２の弾性シール部材又は部分７２と一体化される（結合その他の形態で連結されることを含む）第１の又は剛性の熱可塑性構造部材又は部分７０を含むことができる。構造部分及びシール部分７０、７２は、その実質的に全ての接触面に沿って、又はその接触面の選択された部分のみを介して、互いに一体化することができる。図２Ａ及び図３Ａは、回転対称部品２２Ａ及び２２Ｂの構造部分７０を示し、一方、図２Ｂ及び図３Ｂは、回転対称部品２２Ａ及び２２Ｂの弾性部分７２を示す。場合によっては、シール部分７２は、約２５から約８０までのデュロメータを有する熱可塑性エラストマー（「ＴＰＥ」）材料を含む。場合によっては、シール部分７２は、約２５から約４０までのデュロメータを有する熱可塑性エラストマー（「ＴＰＥ」）材料を含む。場合によっては、シール部分７２は、約３０のデュロメータを有する熱可塑性エラストマー（「ＴＰＥ」）材料を含む。
【００１５】
図２Ａ及び図３Ａに示されるように、構造部分７０は、インターロックタブ又は結合タブ４４及びポケット又はキャビティ４６の形態の複数のインターロック要素又は部材９８を含むことができる。示される実施形態において、結合タブ４４は、各々の回転対称部品２２Ａ及び２２Ｂの主結合面５２から前方に延び、タブ受け又は結合用キャビティ又はポケット４６が内部に形成される。結合面５２は、千鳥状平行面を含むことができる。図８Ｂに示されるように、千鳥状平行面は、シール部分７２の部分が構造部分７０の上に延びる又はこれに重なる結果生じ得る。結合されたと、第１の一体化される部品２２Ａの延長タブ４４は、第２の一体化される部品２２Ｂの受け用ポケット４６に受けられ、第１の一体化される部品２２Ａの受け用ポケット４６は、第２の一体化される部品２２Ｂの延長タブ４４を受ける。延長タブ４４は、受け用ポケット４６内の協働する表面又はデテント５０によって受けられる外向きの面又はデテント４８を含むことができる。
【００１６】
種々の例において、構造部分７０は、より少ない又は付加的な延長タブ４４及び対応する受け用ポケット４６を含むことができる。さらに、延長タブ４４及び対応する受け用ポケット４６は、様々な形態をとることができる。示される例に見られるように、構造部分７０はそれぞれ、主要寸法が第１の方向（例えば、図４、図５及び図９における垂直方向）に延びる複数の延長タブ４４及び／又はデテント４８と、各々の主要寸法が第１の方向に対して垂直な第２の方向（例えば、図４、図５及び図９における水平方向）に延びる１つ又はそれ以上の延長タブ４４及び／又はデテント４８とを含むことができる。ポケット４６及び／又はデテント５０の主要寸法の配向に関しても、同じことが言える。
【００１７】
一体化される部品２２Ａ及び２２Ｂの構造部分７０は、複数の保持アーム又はスナップ３６を含むことができる。保持アーム３６は、グロメット組立体２０とパネル１８を一緒に保持するように、パネル１８に係合可能である。保持アーム３６は、構造部分７０の片持ち状延長部とすることができる。例えば、保持アーム３６の両側に沿って構造部分７０を通って延びるようにスロット４０を形成することができる。シール部分７２は、スロット４０にわたして位置させて、保持アーム３６（図７Ｂ参照）の機能を妨げたり、遅らせたりすることなく、グロメット組立体２０をシールするのを補助するように構成することができる。図２Ｂに見られるように、各々のスロット４０にわたして位置するシール部分７２に凹部５８を形成することができる。
【００１８】
図４に見られるように、シール部分７２は、外側シールリップ又はリム３８を形成する。外側シールリップ３８は、グロメット組立体２０とパネル１８を一緒に保持し、かつ、防塵性、耐汚れ性及び耐流体性をもたらす第１の周方向又は環状シールを形成するため、図４に示される、開口部９４に隣接するパネル１８の表面に係合可能な外側リップ遠位縁７６を含む。シール部分７２はまた、内側リップ遠位縁７８を含む内側シールリップ６２を有することもできる。図４に見られるように、内側リップ遠位縁７８は、パネル１８の開口部９４の側縁９０に係合し、防塵性、耐汚れ性及び耐流体性をもたらす第１の周方向又は環状シールを提供することができる。図５に見られるように、グロメット組立体２０及びパネル１８を係合する前に、外側シールリップ３８は、第１の方向に下向き及び外向きに傾斜することができ、内側シールリップ６２を、第１の方向とは反対の第２の方向に上向き及び外向きに傾斜させることができる。示される実施形態において、「下向き」は、挿入の方向、つまり、グロメット組立体２０がパネル１８の開口部９４に挿入される方向に対応する。従って、「上向き」は、挿入の方向とは反対の方向に対応する。
【００１９】
外側シールリップ３８は、主結合面５２の両側に隣接するラップ継手６８をさらに含む。外側シールリップ３８の各々ラップ継手６８は、複数の協働する嵌合末端面８２を含むことができる。協働する嵌合末端面８２は、主結合面５２により定められる面に対して平行でも垂直でもない傾斜面内に延びることができる。ラップ継手６８は、付加的な重なる面、嵌合する面又は協働する面８３を含むことができる。
【００２０】
図６に示されるように、構造部分７０は、回転対称部品２２Ａ及び２２Ｂが結合されるとき（図１Ａ及び図１Ｂ参照）、外側シールリップ３８の各々のラップ継手６８の上に延びる外側補強タブ２４を含む（図１Ａ及び図１Ｂ参照）。補強タブ２４は、シール部分７２の各々の協働する面の対８２及び８３の分離などの、ラップ継手６８の分離に抵抗するように設計される。補強タブ２４は、外側遠位縁７６から上向きに離間された補強タブの遠位縁８０を含むことができる。例えば、場合によっては、補強タブ２４の遠位縁８０は、外側シールリップ３８の高さの約１０％から約９０％までの距離だけリップ３８の遠位縁７６から上向きに離間配置される。場合によっては、補強タブ２４の遠位縁８０は、外側シールリップ３８の高さの約１０％から約５０％までの距離だけリップ３８の遠位縁７６から上向きに離間配置される。場合によっては、補強タブ２４の遠位縁８０は、外側シールリップ３８の高さの約７５％から約９０％までの距離だけリップ３８の遠位縁７６から上向きに離間配置される。グロメット組立体８０がパネル１８に取り付けられたとき、補強タブ２４の遠位縁８０をパネル１８の上面から離間配置することもでき、外側シールリップ３８の遠位縁７６は、パネル１８の上面に係合する。
【００２１】
補強タブ２４は、主結合面５２により定められる面を超えて延びる突出部又は延長部８４と、主結合面５２により定められる面に達しない対応する凹部８６とをさらに含むことができる。延長部８４は、対応する凹部８６により受けることができ、その間にシール部分７２が延びている。延長部８４と凹部８６の協働する嵌合面８７、並びにシール部分７２の関連部分７３は、主結合面５２により定められる面に対して平行でも垂直でもない傾斜面内に延びることができる。従って、シール部分７２の関連部分７３、並びに延長部８４及び凹部８６の少なくとも一方は、面に対して平行でも垂直でもない傾斜面内に延びる協働する嵌合面を含むことができる。
【００２２】
図７Ａに示されるように、構造部分７０は、複数のセンタリングリブ突起部８８を含むことができる。複数のリブ突起部８８は、内部に挿入されるとき、パネル１８の開口部９４の側縁９０に隣接して配置可能である。図７Ｂに示されるように、一体化される部品２２Ａ、２２Ｂのシール部分７２は、心出しリブ突起部８８を超えて延びることができる。センタリングリブ突起部８８は、パネル１８の開口部９４に対してグロメット組立体２０をセンタリングするのを助けることができる。さらに、センタリングリブ突起部８８は、保持アーム３６が、開口部９４の側縁９０に対して、グロメット組立体２０を開口部９４及び内側シールリップ６２の遠位縁７８内により良好に保持するのを助けることができる。
【００２３】
図８Ａ及び図８Ｂに見られるように、シール部分７２は、そこを通って延びるワイヤハーネス９６に係合可能なハーネス受け用通路２６の弾性面９２を形成することができる。示される例におけるように、弾性面９２は、各々が、防塵性、耐汚れ性及び耐流体性をもたらす周方向又は環状周方向又は環状シールを提供し、１つ又はそれ以上の環状突起部１００を含むことができる。
【００２４】
回転対称部品２２Ａ及び２２Ｂは、２ショット成形プロセスを用いて形成することができる。構造部分７０は、２ショット成形プロセスの第１のショット作業で形成することができる。シール部分７２は、２ショット成形プロセスの第２のショット作業で構造部分と一体成形することができる。部品２２Ａ、２２Ｂの対称性により、回転対称部品２２Ａ及び２２Ｂの両方を同じ金型セットにより形成することが可能になる。
【００２５】
実施形態の上記の説明は、図示及び説明のために与えられている。これは、網羅的であること又は本開示を限定することを意図するものではない。具体的に示され又は説明されていない場合でも、特定の実施形態の個々の要素又は特徴は、一般に、その特定の実施形態に限定されるものではなく、適用可能な場合には、交換可能であり、選択される実施形態において用いることができる。特定の実施形態の個々の要素又は特徴はまた、様々な方法で変化し得る。こうした変形は、本開示からの逸脱とみなすべきではなく、全てのこうした変更は、本開示の範囲内に含まれることが意図される。
【符号の説明】
【００２６】
１８：パネル
２０：グロメット組立体
２２Ａ、２２Ｂ：回転対称部品
２４：補強タブ
２６：ハーネス受け用通路又は中心キャビティ
３６：保持アーム又はスナップ
３８：外側シールリップ又はリム
４０：スロット
４２：環状カラー延長部
４４：インターロックタブ又は延長タブ
４６：受け用ポケット又はキャビティ
４８、５０：インターロック面又はデテント
５２：主結合面又はシール継手
５８：凹部
６２：内側シールリップ
６８：ラップ継手
７０：第１の又は剛性の熱可塑性構造部材又は部分
７２：第２の弾性シール部材又は部分
７３：シール部分の関連部分
７４：重ね継手
７６：外側リップの遠位縁
７８：内側リップの遠位縁
８０：補強タブの遠位縁
８２、８３：シール部分の協働する面
８４：突出部又は延長部
８６：凹部
８７：延長部と凹部の協働する嵌合面
８８：センタリングリブ突起部
９０：開口部の側縁
９２：弾性面
９４：開口部
９６：ワイヤハーネス又は束
９８：複数のインターロック要素又は部材
１００：環状突起部
【図１Ａ】
2018194168.tif 000003
【図１Ｂ】
2018194168.tif 000004
【図２Ａ】
2018194168.tif 000005
【図２Ｂ】
2018194168.tif 000006
【図３Ａ】
2018194168.tif 000007
【図３Ｂ】
2018194168.tif 000008
【図４】
2018194168.tif 000009
【図５】
2018194168.tif 000010
【図６】
2018194168.tif 000011
【図７Ａ】
2018194168.tif 000012
【図７Ｂ】
2018194168.tif 000013
【図８Ａ】
2018194168.tif 000014
【図８Ｂ】
2018194168.tif 000015
【図９】
2018194168.tif 000016